(57)【特許請求の範囲】
【請求項１】
浴槽を有する浴室と、洗面台を有する洗面室とを連続して一つのユニット体で構成し、このユニット体の給水給湯配管を一側部に集約して集中配管部を構成し、この集中配管部を有するユニット体を家屋の壁体を貫通して突出して設け、かつ、浴室と洗面室とを仕切る間仕切りを設けたものであって、該間仕切りの全部または一部を回転自在の回転体とし、この回転体に椅子を設け、椅子の背側は回転体の一部を凹ませて背もたれ凹部とし、回転体と一体的に構成したことを特徴とする浴室および洗面室一体型ユニット。
【発明の詳細な説明】
【０００１】
【発明の属する技術分野】
本発明は少なくとも浴槽を有する浴室と、洗面ボウル、鏡等からなる洗面台を有する洗面室とを連続して一体的に設けた浴室および洗面室一体型ユニットに関するものである。
【０００２】
【従来の技術】
従来、一般には浴室および洗面室は狭いものであり、自立歩行が困難な高齢者、身体障害者にとっては入浴時に洗面室から浴室に移動することが困難であった。これを解決する方法として、車椅子により移動する方法があるが浴室ドアが狭いため、出入りに危険が伴う難点を有する。また、例えば実開平５−４４１２５に示されるように、支柱を立設し、支柱にアームの基端を水平面に沿って回動自在に設け、アームの先端に椅子を水平面に沿って回動自在に設け、椅子を昇降調整する昇降機構を設けたリフト付き入浴装置は知られている。
【０００３】
【発明が解決しようとする課題】
しかしながら、上記従来のものでは、装置自体が大掛かりとなるのみならずかえって浴室、洗面室を狭くしてしまう等の難点を有していた。
【０００４】
本発明は上記問題に鑑み、介護の必要な人が容易に洗面室から浴室へ移動できる浴室および洗面室一体型ユニットを提供することを課題とする。
【０００５】
【課題を解決するための手段】
上記課題を解決するために、本発明の浴室および洗面室一体型ユニットは、浴槽を有する浴室と、洗面台を有する洗面室とを連続して一つのユニット体で構成し、
このユニット体の給水給湯配管を一側部に集約して集中配管部を構成し、この集中配管部を有するユニット体を家屋の壁体を貫通して突出して設け、かつ、浴室と洗面室とを仕切る間仕切りを設けたものであって、該間仕切りの全部または一部を回転自在の回転体とし、この回転体に椅子を設け、椅子の背側は回転体の一部を凹ませて背もたれ凹部とし、回転体と一体的に構成したことを第１の特徴としている。
この特徴によれば、ユニット体の一部を家屋の壁体を貫通し突出して設けることで、浴室および洗面室の奥行きを広げ総床面積を従来に比べて広くとることができ、空間も広がり、壁面に伝わりながら移動することも可能となり、洗面室から浴室に容易に移動することができるものである。
また、本発明の浴室および洗面室一体型ユニットは、浴槽を有する浴室と、洗面台を有する洗面室とを連続して一つのユニット体で構成し、このユニット体の給水給湯配管を一側部に集約して集中配管部を構成し、この集中配管部を有するユニット体を家屋の壁体を貫通して突出して設けたことで、使用者にとっては同じ方向に向かって湯水を使用でき、目が不自由であっても感覚的に湯水栓の開閉操作が行え、操作し易くなるとともに給湯、給水配管距離が短くなって温水器から湯水栓、シャワー等に湯が出る時間も短く使用上も便利となる利点がある。
さらに、本発明の浴室および洗面室一体型ユニットは、浴槽を有する浴室と、
洗面台を有する洗面室とを連続して一つのユニット体で構成し、このユニット体の一側部を家屋の壁体を貫通して突出して設け、かつ、浴室と洗面室とを仕切る間仕切りを設けたものであって、該間仕切りの全部または一部を回転自在の回転体とし、この回転体に椅子を設け、椅子の背側は回転体の一部を凹ませて背もたれ凹部とし、回転体と一体的に構成したことで、回転体の椅子に腰掛けて体を捻じりさえすれば洗面室から浴室への移動が座ったままの姿勢で楽に行える利点がある。
【０００７】
【発明の実施の形態】
以下、本発明の実施の形態について図面を参照しながら説明する。図１は本発明の一実施形態を示す浴室および洗面室一体型ユニットの全体構成図である。図２は本発明の一実施形態を示す間仕切りの斜視図である。図３は本発明の回転体を平面から見た平面図、図４は本発明の回転体を側面から見た側面図である。
【０００８】
図１において、浴槽１を有する浴室２と、洗面台３を有する洗面室４とを連続して一つのユニット体５で構成してある。具体的には浴室を構成する部材を分割されたパネルで構成し、このパネルは予め工場生産したものであって、現場では各パネルを組み合わせて、結合し一つの浴室として組み立てるようになっている。洗面室も同様に分割された各パネルを複数枚連結して組立てるようにしたものである。
【０００９】
そして、前記ユニット体５はその一側部を家屋の壁体６を貫通して壁体６から外方に向かって突出して設けてある。この突出したユニット体の一側には給湯給水配管を集中して配置してあり、集中配管部７を構成してある。
【００１０】
具体的には、集中配管部は屋外に設けた給湯器等の温水器８から端末水栓に至る給湯管９と、給水元から端末水栓に至る給水管１０とから構成されている。給湯管９と給水管１０とは家屋の壁体６に対してほぼ平行に配管してある。
【００１１】
ここで、端末水栓とは浴槽１へ給湯、給水を行う浴槽用水栓１１、浴室のシャワーへ給湯、給水を行うシャワー用水栓１２および洗面器に給湯、給水を行う洗面用水栓１３等を意味する。これら各水栓類は前記給湯管９および給水管１０から分岐して取り付けられている。
【００１２】
そして、ユニット体５である浴室は出窓で構成してもよく、また浴槽１が位置する部分のみ出窓で構成することも推奨される。また、出窓の下方には温水器８を設置すれば、温水器８の設置スペースを少なくすることができる。
【００１３】
また、浴室２と洗面室４とを仕切る部材である間仕切り１４には、回転体１５を設けてある。この回転体１５は間仕切り１４の一部をそのまま利用して構成してある。１６は浴室のドアである。洗面室４から浴槽２への出入りをさらに容易にするために間仕切り１４の全部を回転体とすることも可能である。
【００１４】
図３、図４は回転体１５を示す拡大図であり、図において回転体１５は非使用時には浴室２と洗面室４との仕切る仕切壁となっており、使用時には中央部の上下に設けた支軸１９を中心に左方向あるいは右方向の水平方向に回転できるようになっている。
【００１５】
回転体１５の一側には椅子１７を設けてあり、この椅子1７は回転体１５と同一の材料、例えば合成樹脂等で形成して回転体１５と一体的に構成してある。椅子１７の背側は回転体１５の他側の一部を凹ませて背もたれ凹部１８とし、回転体１５と一体的に構成してある。
【００１６】
また、回転体１５の周囲には浴室２からの湯水の流出を防止するため、ゴム等のシール材を取り付けてある。また、図示してはいないが、回転体１５には左右方向への移動を阻止するストッパーを設けて、浴室２への入室時には回転体１５の回動をロックするようにしてもよい。
【００１７】
本発明の実施形態はこのような構成からなり、ユニット体５を構成する分割された各パネルを組み立てて、浴室２および洗面室４を一体的に結合し、この内部に浴槽１、水栓類、洗面台３等を収納固定することによって完成する。
そして、ユニット体５の一側部は家屋の壁体６を貫通して突出して外方に張り出すように施工される。この結果、洗面室４のみならず浴室２の床面積を拡張でき、内部の空間部も従来のものに比べて広く確保することができるのである。従って、洗面室４から浴室２への移動も、壁面に沿って楽に行うことが可能となる。もちろん、これらの場所での介護も室の奥行きが広がり、余裕をもって行うことができるのである。
また、浴室２および洗面室４は、分割した多数のパネルで構成したユニット体５とすることで、組立て工数の削減が図れ、工期が短縮化できる。
【００１８】
また、壁体６から突出させたユニット体５の部分に、給水給湯配管の集中配管部７を設けることで、水栓類の接続作業が集中的に行うことができ、水回りの保守点検も容易となる。しかも、屋外に設置した温水器８との接続もやりやすくなり、接続配管距離も短く、出湯速度の向上にもつながるものである。加えて、ユニット体の一側に給湯給水栓を配置することができ、目の不自由な人にとっては、感覚的に水栓類の位置を確認して、その操作を行える。
【００１９】
さらに、浴室２と洗面室４とを仕切る間仕切り１４には、椅子１７を有する回転体１５を設けたことで、椅子１７に座らせた状態で衣服を脱がせることが可能となって介護がし易くなり、しかも浴室２への移動が座ったままの姿勢で楽に行える。浴室２では座ったままでシャワーを浴びることも可能となるものである。
【００２０】
椅子１７の背後には、背もたれ凹部１８を設けておけば、後ろにもたれても安心して移動できる。また浴室２への入室時には背もたれ凹部１８は洗面室側に位置するので、浴室２内が狭くなるおそれもなくなる。
【００２１】
また、回転体１５の一部を凹ませて背もたれ凹部１８とし、この下端に連続して椅子１７を設けることで、一体的に製作することが可能となって、製作も簡素化できる。
【００２２】
なお、上述した実施形態は本発明の好適な実施形態を示すものであって、本発明はこれに限定されることなく、その範囲内で各種設計変更可能である。
例えば、水栓類は現場において取り付けるのではなく、予めユニット体を構成するパネルに取り付けておくことも推奨できる。
【００２３】
【発明の効果】
本発明は以上の構成、作用からなり、浴室および洗面室の総床面積を従来に比べて広くとることができ、空間も広がり、壁面に伝わりながら移動することも可能となり、洗面室から浴室に容易に移動することができるものである。
また、本発明の浴室および洗面室一体型ユニットは、浴槽を有する浴室と、洗面台を有する洗面室とを連続して一つのユニット体で構成し、このユニット体の給水給湯配管を一側部に集約して集中配管部を構成し、この集中配管部を有するユニット体を家屋の壁体を貫通して突出して設けたので、特に給水給湯配管を集中してユニット体の一側部に設けることで、使用者にとっては同じ方向に向かって湯水を使用でき、目が不自由であっても感覚的に湯水栓の開閉操作が行え、操作し易くなるとともに給湯、給水配管距離が短くなって温水器から湯水栓、シャワー等に湯が出る時間も短く使用上も便利となる利点がある。
さらに、本発明の浴室および洗面室一体型ユニットは、浴槽を有する浴室と、洗面台を有する洗面室とを連続して一つのユニット体で構成し、このユニット体の一側部を家屋の壁体を貫通して突出して設け、かつ、浴室と洗面室とを仕切る間仕切りを設けたものであって、該間仕切りの全部または一部を回転自在の回転体とし、この回転体に椅子を設け、椅子の背側は回転体の一部を凹ませて背もたれ凹部とし、回転体と一体的に構成したので、回転体の椅子に腰掛けて体を捻じりさえすれば洗面室から浴室への移動が座ったままの姿勢で楽に行える利点がある。
【図面の簡単な説明】
【図１】図１は本発明の一実施形態を示す浴室および洗面室一体型ユニットの全体構成図である。
【図２】図２は本発明の一実施形態を示す間仕切りの斜視図である。
【図３】図３は本発明の回転体を平面から見た平面図である。
【図４】図４は本発明の回転体を側面から見た側面図である。
【符号の説明】
１   浴槽
２   浴室
３   洗面台
４   洗面室
５   ユニット体
６   壁体
７   集中配管部
１４ 間仕切り
１５ 回転体
１７ 椅子
１８ 背もたれ凹部
【図１】
0003757413.tif 000002
【図２】
0003757413.tif 000003
【図３】
0003757413.tif 000004
【図４】
0003757413.tif 000005